(57)【要約】誘導加熱調理器（２）は、被加熱物（４）や非接触受電装置（１１）を載置するトッププレート（８）、被加熱物（４）や非接触受電装置（１１）をトッププレート（８）上の任意の位置に載置したときに、その直下に少なくとも１つ存在するように配列され、被加熱物（４）を誘導加熱または非接触受電装置（１１）に給電する複数のコイル（１０）を備える。さらに、誘導加熱調理器（２）は、トッププレート（８）の温度を検知する温度検知部（１４）、温度検知部（１４）で検知した温度が所定温度以下の領域を、非接触受電装置（１１）の載置可能領域としてユーザに案内する案内部を備える。これにより、利便性が向上した誘導加熱調理器（２）を提供する。
2017038014.tif 000002
【特許請求の範囲】
【請求項１】
被加熱物または非接触受電装置が載置されるトッププレートと、
前記トッププレートの下方で、前記被加熱物または前記非接触受電装置を前記トッププレート上の任意の位置に載置したときに、その直下に少なくとも１つ存在するように配列され、前記トッププレート上に載置された被加熱物を誘導加熱または前記非接触受電装置に給電する複数のコイルと、
前記トッププレートの温度を検知する温度検知部と、
前記温度検知部により検知された温度が所定温度以下の領域を、前記非接触受電装置の載置可能領域としてユーザに案内する案内部と、を備える、誘導加熱調理器。
【請求項２】
前記誘導加熱調理器の運転を制御する制御部を、備え、
前記制御部は、前記非接触受電装置からの信号を受信すると、前記案内部による案内を行うように制御する、請求項１に記載の誘導加熱調理器。
【請求項３】
前記制御部は、前記非接触受電装置のサイズの情報を有し、前記非接触受電装置からの信号を受信すると、前記サイズの情報に基づいて前記非接触受電装置を載置可能領域に案内するように、前記案内部を制御する、請求項２に記載の誘導加熱調理器。
【請求項４】
前記案内部は、加熱中の前記コイルに対応する以外の領域を、前記非接触受電装置の載置可能領域として案内する、請求項１に記載の誘導加熱調理器。
【請求項５】
前記温度検知部は、それぞれの前記コイルに対応して設けられた複数の温度センサで構成される、請求項１に記載の誘導加熱調理器。
【請求項６】
前記コイルのそれぞれの周囲に配置され、前記トッププレートを通して視認可能に発光する発光ユニットを備え、
前記発光ユニットは、前記案内部として機能する、請求項１に記載の誘導加熱調理器。
【請求項７】
前記複数のコイルを収容するとともに、前記トッププレートを支持するように配設された本体部を、備え、
前記本体部は、前記誘導加熱調理器の調理に関する調理情報を表示する備え付け表示部を有し、
前記備え付け表示部は、前記案内部として機能する、請求項１に記載の誘導加熱調理器。
【請求項８】
外部に設けられるディスプレイを、さらに備え、
前記ディスプレイは、案内部として機能する、請求項１に記載の誘導加熱調理器。
【発明の詳細な説明】
【技術分野】
【０００１】
本開示は、調理用鍋などの被加熱物を誘導加熱する誘導加熱調理器に関する。
【背景技術】
【０００２】
従来、誘導加熱調理器は、例えば複数の加熱コイルをトッププレートの直下に配設している。誘導加熱調理器は、加熱コイルにより、トッププレート上に載置された被加熱物である金属製の調理用鍋などを誘導加熱する。【０００３】
また、加熱コイルにより、非接触受電装置に給電する誘導加熱調理器なども開示されている（例えば、特許文献１参照）。【０００４】
昨今、誘導加熱調理器は、利便性の、さらなる向上が求められている。【０００５】
しかしながら、特許文献１の誘導加熱調理器の構成は、非接触受電装置を載置する場所が一か所に定められている。そのため、非接触受電装置をユーザの好みの位置などに配置することができない。つまり、特許文献１の誘導加熱調理器は、利便性の観点で未だ改善の余地がある。
【先行技術文献】
【特許文献】
【０００６】
【特許文献１】国際公開第２０１３／０３８６９４号公報
【発明の概要】
【０００７】
本開示は、利便性を向上できる誘導加熱調理器を提供する。
【０００８】
つまり、本開示の誘導加熱調理器は、被加熱物または非接触受電装置が載置されるトッププレートと、トッププレートの下方で、被加熱物または非接触受電装置をトッププレート上の任意の位置に載置したときに、その直下に少なくとも１つ存在するように配列され、トッププレート上に載置された被加熱物を誘導加熱、または非接触受電装置に給電する複数のコイルを備える。さらに、誘導加熱調理器は、トッププレートの温度を検知する温度検知部と、温度検知部により検知された温度が所定温度以下の領域を、非接触受電装置の載置可能領域としてユーザに案内する案内部と、を備える。
【０００９】
この構成によれば、非接触受電装置をトッププレート上の任意の位置に載置可能に、トッププレートの温度が所定温度以下の領域を案内する案内部を設ける。これにより、温度の低い領域に非接触受電装置を載置できる。その結果、ユーザの利便性が向上した誘導加熱調理器を提供できる。
【図面の簡単な説明】
【００１０】
【図１】図１は、本実施の形態にかかる誘導加熱調理器の縦断面図である。
【図２】図２は、同実施の形態にかかる誘導加熱調理器の平面図である。
【図３】図３は、同誘導加熱調理器における非接触受電装置の載置可能領域を表示案内する方法を示すフローチャートである。
【図４Ａ】図４Ａは、図３のフローチャートによる方法を説明するための平面図である。
【図４Ｂ】図４Ｂは、図３のフローチャートによる方法を説明するための平面図である。
【図４Ｃ】図４Ｃは、図３のフローチャートによる方法を説明するための平面図である。
【図４Ｄ】図４Ｄは、図３のフローチャートによる方法を説明するための平面図である。
【図５】図５は、同実施の形態にかかる誘導加熱調理器のコイルの配置に関する変形例を示す平面図である。
【発明を実施するための形態】
【００１１】
以下、本開示の実施の形態の誘導加熱調理器について、図面を参照しながら説明する。なお、本実施の形態によって本開示が限定されるものではない。
【００１２】
（実施の形態）
以下に、本開示の実施の形態にかかる誘導加熱調理器について、図１および図２を用いて、説明する。
【００１３】
図１は、本実施の形態にかかる誘導加熱調理器の縦断面図である。図２は、同実施の形態にかかる誘導加熱調理器の平面図である。
【００１４】
なお、誘導加熱調理器２は、例えば被加熱物４を誘導加熱する構成を有する調理器（ＩＨ調理器）などである。
【００１５】
本実施の形態の誘導加熱調理器２は、図１に示すように、本体部６と、トッププレート８と、複数のコイル１０などを備える。そして、ユーザが被加熱物４をトッププレート８上に載置すると、被加熱物４の直下におけるコイル１０を介して、誘導加熱により、被加熱物４が加熱調理される。
【００１６】
さらに、誘導加熱調理器２は、ユーザが非接触受電装置１１をトッププレート８上に載置すると、非接触受電装置１１の直下におけるコイル１０を介して、非接触受電装置１１の給電・充電を行う構成を有する。
【００１７】
つまり、本実施の形態の誘導加熱調理器２のコイル１０は、被加熱物４の誘導加熱だけでなく、非接触受電装置１１の給電・充電を行う多機能コイルとして、機能する。
【００１８】
また、本実施の形態の誘導加熱調理器２は、備え付け表示部１２と、温度検知部１４と、発光ユニット１６（図２参照）と、制御部１８などを、さらに備える。
【００１９】
以下に、誘導加熱調理器２の各構成について、順に説明する。
【００２０】
なお、以下では、図中に示すように、誘導加熱調理器２における幅方向をＸ方向、奥行方向をＹ方向、高さ方向をＺ方向として、説明する。
【００２１】
被加熱物４は、誘導加熱調理器２により誘導加熱される、例えば調理用鍋などの対象物から構成される。被加熱物４は、少なくとも一部が金属で形成される。これにより、コイル１０が発生させる磁力線により金属に渦電流が流れて、被加熱物４の誘導加熱が可能となる。
【００２２】
本体部６は、ユーザが、誘導加熱調理器２による調理を行う土台部分を構成する。本体部６は、上部に、トッププレート８が配設される。トッププレート８は、透光性を有する、例えば結晶化ガラスなどで形成され、誘導加熱調理器２の天板を構成する。トッププレート８の上部には、被加熱物４および非接触受電装置１１などが載置される。
【００２３】
コイル１０は、磁力線を発生して、被加熱物４の誘導加熱や非接触受電装置１１への給電または充電などを行う。なお、本実施の形態のコイル１０は、図２に示すように、上方視において、中央部分が空洞のドーナツ型の形状で構成される。コイル１０の周囲には、後述する発光ユニット１６が配置される。
【００２４】
また、コイル１０は、図２に示すように、複数の縦列（Ｙ方向）および複数の横列（Ｘ方向）で構成される格子状（ＸＹ平面）に配置される。この配置により、被加熱物４または非接触受電装置１１をトッププレート８上の任意の位置に載置しても、少なくとも被加熱物４、または非接触受電装置１１の直下に配置される１つのコイル１０により誘導加熱、または給電・充電が可能となる。
【００２５】
なお、非接触受電装置１１は、トッププレート８上に載置されたときに、トッププレート８の直下に配置される、少なくとも１つのコイル１０により給電・充電が可能な、例えばタブレットなどの装置から構成される。
【００２６】
そのため、非接触受電装置１１は、内部に、通信部１１ａと、受電コイル１１ｂなどを備える。通信部１１ａは、後述する本体部６内の制御部１８と通信する。
【００２７】
受電コイル１１ｂは、非接触受電装置１１がトッププレート８上に載置されたときに、載置された直下におけるコイル１０（例えば、１次コイルに相当）が発生した電磁界を受けて電力を発生させる、例えば２次コイルを構成する。これにより、非接触受電装置１１は、コイル１０で発生する電磁界を、受電コイル１１ｂを介して、給電可能に構成される。
【００２８】
なお、非接触受電装置１１は、例えば湯沸かし器やグリルなどのヒータを備えた電気機器、ミキサーなどのモータを備えた電気機器、照明器具やアイロンなどの非接触で電力を受電する受電装置などが例示される。この場合、ミキサーは、例えばミキサーの容器内に配置した食品を自動で撹拌するとともに、容器の誘導加熱で加熱調理を行う構成を備える。
【００２９】
以下では、本実施の形態の非接触受電装置１１として、グリラーを例に説明する。グリラーは、受電コイル１１ｂを介して、給電される電力で駆動されるヒータにより、庫内に配置した食品を加熱調理する装置である。
【００３０】
さらに、図２に示すように、非接触受電装置１１は、平面視における大きさが、コイル１０の４つ分（縦横に２列ずつ）に相当する大きさに有する場合を、例に説明する。
【００３１】
また、本実施の形態の誘導加熱調理器２は、備え付け表示部１２を備える。備え付け表示部１２は、例えば液晶ディスプレイなどで構成され、例えば誘導加熱調理器２の調理に関する情報（調理情報）を表示する。備え付け表示部１２は、図１に示すように、本体部６の前面（Ｙ方向手前側）に固定して設けられる。なお、備え付け表示部１２の設置位置は、上記本体部６の前面に限られず、それ以外の、例えば本体部６の上面などに設けてもよい。
【００３２】
温度検知部１４は、例えばサーミスタなどの温度センサで構成され、コイル１０の上方におけるトッププレート８の温度を検知する。本実施の形態では、温度検知部１４は、それぞれのコイル１０に対応して１つずつ設けられる。なお、図１では、温度検知部１４をトッププレート８の下面に接触して設ける構成を例に示しているが、これに限られない。トッププレート８の温度を検知できる位置であれば、例えばコイル１０の周辺などに温度検知部１４を配置してもよい。
【００３３】
発光ユニット１６は、図２に示すように、それぞれのコイル１０の周囲に、個別に配置される。発光ユニット１６は、発光により、電磁界を発生しているコイル１０の位置を、ユーザが、トッププレート８を通して目視可能（視認可能）にする。なお、本実施の形態における発光ユニット１６は、コイル１０を囲むように設けられた、例えばリング状のＬＥＤで構成される。発光ユニット１６は、後述するように、非接触受電装置１１の載置可能領域を案内する案内部として、機能する。
【００３４】
制御部１８は、本体部６内に配置され、誘導加熱調理器２の運転を制御する。具体的には、制御部１８は、本体部６内に配置された複数のコイル１０、備え付け表示部１２および複数の温度検知部１４に接続され、これらの運転を制御する。
【００３５】
さらに、制御部１８は、非接触受電装置１１の通信部１１ａと無線通信が可能に構成される。これにより、制御部１８は、通信部１１ａから、例えば受電電力や緊急停止などの信号を受信する。
【００３６】
上記構成を有する誘導加熱調理器２は、トッププレート８上の任意の位置に被加熱物４や非接触受電装置１１を載置可能なレイアウト自由のマルチコイル構成を採用している。これにより、ユーザは、トッププレート８上の所望の位置に被加熱物４および非接触受電装置１１を載置できる。そのため、ユーザに対する自由度の高い構成が可能となる。
【００３７】
以上のように、本実施の形態の誘導加熱調理器２が構成される。
【００３８】
以下に、トッププレート８上において非接触受電装置１１の載置可能な領域を、温度検知部１４および発光ユニット１６を用いて、ユーザに案内する方法について、図３および図４Ａから図４Ｄを用いて説明する。
【００３９】
図３は、誘導加熱調理器におけるディスプレイの載置可能領域を表示する方法を示すフローチャートである。図４Ａから図４Ｄは、図３に示すフローチャートに沿って、順に載置可能領域を表示し案内する一例を説明する平面図である。
【００４０】
図３に示すように、まず、非接触受電装置１１から、本体部６の制御部１８に信号を送信する（ステップＳ１）。具体的には、ユーザが非接触受電装置１１に設けられたボタン（図示せず）を押下する。これにより、非接触受電装置１１の通信部１１ａは、制御部１８に信号を送信する。
【００４１】
制御部１８は、通信部１１ａからの信号により、トッププレート８上に非接触受電装置１１が載置されることを認識する。このとき、制御部１８は、非接触受電装置１１に関する各種情報（例えば、非接触受電装置１１の種類やサイズの情報など）を記憶している。そこで、制御部１８は、非接触受電装置１１から送信された信号を受信すると、非接触受電装置１１に関する情報を読み出す。
【００４２】
つぎに、制御部１８は、コイル１０による加熱状況を確認する（ステップＳ２）。つまり、制御部１８は、複数のコイル１０のそれぞれについて、加熱中であるか否かを確認する。本実施の形態では、図４Ａに示すように、例えば１つのコイル１０ａが加熱中であることが確認される。これにより、コイル１０ａの上方に位置するトッププレート８の上面に誘導加熱を受ける被加熱物４（図示せず）が載置されていることを確認できる。
【００４３】
つぎに、制御部１８は、温度検知部１４から入力される、それぞれのコイル１０の温度判定を行う（ステップＳ３）。具体的には、ステップＳ２で加熱中と確認されたコイル１０ａおよびその周囲領域を除いて、制御部１８は、それ以外のコイル１０の温度検知部１４で検知された温度が所定温度（例えば、６０℃）以上であるか否かを判定する。このとき、ステップＳ２で加熱中と確認されたコイル１０ａおよびその周囲領域は、図４Ｂに示す領域Ａ１が相当する。そこで、制御部１８は、領域Ａ１を除くトッププレート８上の領域において、温度検知部１４で検知された温度が所定温度以上であるか否かを判定する。
【００４４】
そして、温度判定の結果、図４Ｃに示すように、例えば複数のコイル１０のうち、領域Ａ１に隣接する３つのコイル１０ｂ、コイル１０ｃ、コイル１０ｄに対応する領域Ａ２において、制御部１８は、温度検知部１４で検知した温度が所定温度以上であると判定する。
【００４５】
つぎに、制御部１８は、発光ユニット１６による発光表示を行う（ステップＳ４）。具体的には、図４Ｄに示すように、制御部１８は、領域Ａ１と、ステップＳ３で所定温度以上と判定した領域Ａ２を除く所定の領域Ａ３において、発光ユニット１６による発光を行う。つまり、制御部１８は、温度の高い領域（例えば、領域Ａ１および領域Ａ２）を除外した温度の低い領域Ａ３を発光させる。これにより、制御部１８は、非接触受電装置１１を載置するのに好ましい領域として、領域Ａ３を発光表示して、ユーザを案内する。
【００４６】
このとき、制御部１８は、図４Ｄに示す領域Ａ２に隣接する領域Ａ４（Ｙ方向手前側の領域）を、ステップＳ３で所定温度以上であるとは判定していない。それにも関わらず、制御部１８は、以下に示す理由により、ステップＳ４で発光ユニット１６を発光させるように制御しない。
【００４７】
なぜならば、非接触受電装置１１のサイズは、上述したように、縦横に２列ずつ合計４つ分の範囲のコイル１０の領域に相当する。つまり、領域Ａ４は、非接触受電装置１１を載置する、４つ分の大きさの領域を確保できない。そのため、制御部１８は、領域Ａ４を非接触受電装置１１の載置可能領域から除外して、発光ユニット１６が発光しないように制御する。これにより、制御部１８は、領域Ａ３の発光ユニット１６のみを、非接触受電装置１１の載置可能な領域として発光させる。その結果、非接触受電装置１１の載置可能な領域を、ユーザに対して、より確実に案内できる。
【００４８】
以上により、トッププレート８の非接触受電装置１１の載置可能な領域が、発光ユニット１６の発光により、表示される。
【００４９】
つまり、本実施の形態によれば、制御部１８は、非接触受電装置１１の載置可能な領域として、温度の低い領域Ａ３の発光ユニット１６を発光させて表示し、ユーザを案内する。これにより、ユーザは、発光する温度の低い安全な領域Ａ３に、非接触受電装置１１を載置することができる。そのため、温度の高い領域への非接触受電装置１１の載置を未然に防止できる。これにより、非接触受電装置１１自体の故障や、温度の高い領域へのユーザの接触による不具合の発生を防止する。その結果、利便性および安全性を、より向上させることができる。
【００５０】
また、本実施の形態によれば、トッププレート８上の任意の位置に被加熱物４や非接触受電装置１１を載置可能なマルチコイル構成を採用している。そして、この構成において、温度の低い安全な領域を、載置可能な領域として表示する。これにより、被加熱物４や非接触受電装置１１を温度の低い安全な領域に、確実に載置できる。つまり、本実施の形態の誘導加熱調理器２は、非接触受電装置１１を載置可能な領域に案内するなどの有用性の点で優れている。
【００５１】
また、本実施の形態によれば、制御部１８は、非接触受電装置１１の通信部１１ａの信号を受信してから、発光ユニット１６による表示案内を実行する。そのため、例えばユーザが非接触受電装置１１のボタンを押下することで信号の送信を行う構成を採用している。これにより、ユーザは、発光ユニット１６による表示案内を、所望のタイミングで行うことが可能となる。その結果、ユーザへの利便性が、さらに向上する。
【００５２】
また、本実施の形態によれば、制御部１８は、非接触受電装置１１のサイズの情報を記憶している。そして、制御部１８は、記憶したサイズの情報に基づいて、非接触受電装置１１の載置可能な領域のみを、発光ユニット１６により表示する。これにより、非接触受電装置１１の載置可能な領域を、より確実に、ユーザに案内できる。その結果、ユーザの利便性を、さらに向上させることができる。
【００５３】
また、本実施の形態によれば、制御部１８は、加熱中であるコイル１０ａの周囲（例えば、領域Ａ１、Ａ２）、および非接触受電装置１１の載置不可能な領域Ａ４を発光させないように、発光ユニット１６の発光を制御する。これにより、加熱中のコイル１０ａの周囲の領域で、かつ温度が低い領域の場合でも、制御部１８は、非接触受電装置１１の載置可能な領域として、案内しない。
【００５４】
つまり、コイル１０ａによる被加熱物４の加熱調理による周囲への、以下に示す影響を低減できる。
【００５５】
具体的には、例えばコイル１０ａで加熱されている被加熱物４が水分を含む場合、高温となった水滴が、コイル１０ａの周囲に飛散する場合がある。飛散した水滴は、非接触受電装置１１やユーザに付着する場合がある。これにより、非接触受電装置１１の故障の原因や、ユーザへの不具合を生じる虞がある。そこで、本実施の形態では、加熱中であるコイル１０ａの周囲を載置可能な領域から除外して、発光ユニット１６を発光しないように制御する。これにより、ユーザへの利便性、および誘導加熱調理器２の安全性を、さらに向上させることができる。
【００５６】
また、本実施の形態によれば、温度検知部１４として、それぞれのコイル１０に対応して複数の温度センサを設ける。これにより、それぞれのコイル１０の領域に対応した温度の検知が可能となる。その結果、検知した温度に基づいて、非接触受電装置１１の載置可能な領域を、より精度良く設定できる。
【００５７】
また、本実施の形態によれば、非接触受電装置１１の載置可能な領域の、ユーザへの案内を、発光ユニット１６の発光の有無により行う。つまり、発光ユニット１６を、案内部として機能させる。これにより、ユーザは、非接触受電装置１１の載置可能な領域を、視覚的に判断できる。その結果、ユーザへの利便性が、さらに向上する。
【００５８】
なお、上記では、実施の形態を挙げて本開示を説明したが、本開示は上述の実施の形態に限定されない。
【００５９】
つまり、本実施の形態では、発光ユニット１６をコイル１０の周囲を囲むようにリング状のＬＥＤを設ける構成を例に説明したが、これに限られない。非接触受電装置１１などの載置可能な領域を示すように発光する発光ユニットであれば、発光ユニットの構成は任意でよい。例えば、コイルの１つ分の領域を１単位（１グリッド）として、グリッド状（格子状）に発光する発光ユニットで構成でもよい。
【００６０】
また、本実施の形態では、複数のコイル１０をＹ方向に沿って複数の縦列、Ｘ方向に沿って複数の横列で格子状に配置する構成を例に説明したが、これに限られない。例えば、図５の変形例に示すように、複数のコイル２０を互い違い（千鳥状）に配置し、Ｘ方向およびＹ方向とは異なる、例えば斜め方向に配置してもよい。この場合、上述の実施の形態と同様に、コイル２０のそれぞれの周りに発光ユニット２６を配置してもよい。これにより、それぞれのコイル１０の間が狭まるため、調理を行う際の加熱分布が、より均一化される。さらに、電力送電時において、同一面積で、より多くの電力を送ることができる。
【００６１】
さらに、それぞれのコイル２０の周りに発光ユニット２６を配置せずに、以下に示す別の方法で、非接触受電装置１１の載置可能な領域を表示して案内する構成としてもよい。具体的には、例えば備え付け表示部１２に載置可能な領域を表示して案内する構成としてもよい。また、誘導加熱調理器２と通信する外部ディスプレイに載置可能な領域を表示して案内する構成としてもよい。つまり、備え付け表示部１２や外部ディスプレイを載置可能な領域の案内部として機能させてもよい。さらに、これらの案内部を併用して機能させてもよい。これにより、誘導加熱調理器２の仕様やユーザの好みに応じて、誘導加熱調理器２の設置場所や載置可能な領域を適宜設定できる。その結果、ユーザへの利便性を、さらに向上できる。
【００６２】
また、本実施の形態では、発光ユニット１６、２６などにより視覚的に表示して案内する構成を例に説明したが、これに限られない。例えば、音声案内部などを設けて、ユーザに、音声で載置可能な領域を案内する構成としてもよい。これにより、例えば視覚に障害を持つ使用者でも、簡便に使用することができる。
【００６３】
また、本実施の形態では、トッププレート８上の任意の位置に、被加熱物４や非接触受電装置１１を、載置可能でレイアウト自由のマルチコイル構成を例に説明したが、これに限られない。例えば、被加熱物４や非接触受電装置１１の載置場所（加熱領域）を予め複数箇所に定める。予め設定したそれぞれの載置場所に対応して、コイルを設ける。そして、複数の載置場所の中から、ユーザが任意の位置に被加熱物４や非接触受電装置１１を載置する構成としてもよい。このとき、各載置場所の領域に対応して設けられた液晶やＬＥＤのセグメント表示などで構成された操作部を点灯させ、非接触受電装置１１の載置可能な領域を案内する構成としてもよい。これにより、コイル２０の数が少なくなるので、誘導加熱調理器２全体の低コスト化が図れる。さらに、ユーザは、非接触受電装置の載置場所を、より判別しやすくなる。
【００６４】
また、本実施の形態では、図３のフローチャートの例示において、ステップＳ２で非接触受電装置１１を載置する前に、１つのコイル１０ａが加熱中である場合を例に説明した。つまり、トッププレート８上に既に被加熱物４が置かれている場合を例に説明したが、これに限られない。例えば、加熱中のコイル１０が存在しない、すなわちトッププレート８上に被加熱物４が置かれていない状態の場合でもよい。この場合、まず、図３に示すステップＳ３の温度判定において、制御部１８は、全ての領域における温度検知部１４の温度結果を判定する。そして、制御部１８は、判定結果に基づいて、ステップＳ４による、発光ユニット１６の発光制御を行えばよい。この場合、発光ユニットの発光制御による載置案内に基づいて、ユーザは、トッププレート８上に非接触受電装置１１を載置する。そして、その後、被加熱物４をトッププレート８上に載置して、加熱制御を行う構成としてもよい。これにより、例えば加熱後の高温のフライパンや、オーブンなどの他の調理機器で調理した後の鍋や調理物などを、トッププレート８上に置いている場合でも、ディスプレイを低温の領域に載置して、安全に使用できる。
【００６５】
また、本実施の形態では、トッププレート８上に１つの被加熱物４を配置する場合を例に説明したが、これに限られない。例えば、トッププレート８上に複数の被加熱物４を配置してもよい。この場合でも、図３のステップＳ３で説明した制御と、同様の制御を個別に行えばよい。
【００６６】
また、本実施の形態では、図３に示すステップＳ２で、コイル１０ａが加熱中であると判断された領域およびその周囲領域を除いて、ステップＳ３の温度判定を行う場合を例に説明したが、これに限られない。例えば、図３のステップＳ２で、コイル１０ａが加熱中であると判断された領域のみを除いて、すなわちコイル１０ａの周囲領域を含む領域でステップＳ３の温度判定を行ってもよい。このとき、「周囲領域」は、図４Ｂなどに示す範囲の広さに限られず、任意の広さの領域でよい。これにより、コイル１０ａでの加熱電力が低く、それほど温度が高くない場合において、非接触受電装置を安全に載置できる場所を、より広く取ることができる。
【００６７】
また、本実施の形態では、図３のステップＳ１において、ユーザの非接触受電装置１１のボタンの押下操作により、制御部１８に信号を送信する場合を例に説明したが、これに限られない。例えば、誘導加熱調理器２の本体部６などに設けたボタンの押下操作により、図３のステップＳ２からステップＳ４のみを実施して、発光ユニットの発光を制御してもよい。これにより、図３に示すフローチャートのステップＳ１を省略できる。
【００６８】
さらに、ボタンの押下操作ではなく、非接触受電装置１１が本体部６に近付いたときに、非接触受電装置１１の通信部１１ａが、本体部６の制御部１８へ自動的に信号を送信する構成としてもよい。これにより、使用者の操作が少なく、より簡便に使用できる。
【００６９】
なお、上記実施の形態のうちの任意の実施の形態を適宜組み合わせることにより、それぞれの有する効果を奏するようにすることができる。
【００７０】
以上で説明したように、本開示の誘導加熱調理器は、被加熱物および非接触受電装置が載置されるトッププレートと、トッププレートの下方で、被加熱物または非接触受電装置をトッププレート上の任意の位置に載置したときに、その直下に少なくとも１つ存在するように配列され、トッププレート上に載置された被加熱物の誘導加熱、または非接触受電装置に給電する複数のコイルを備える。さらに、誘導加熱調理器は、トッププレートの温度を検知する温度検知部と、温度検知部により検知された温度が所定温度以下の領域を、非接触受電装置の載置可能領域としてユーザに案内する案内部と、を備える構成としてもよい。
【００７１】
この構成によれば、非接触受電装置をトッププレート上の任意の位置に載置可能に、トッププレートの温度が所定温度以下の領域を案内する案内部を設ける。これにより、温度の低い領域に非接触受電装置を、より確実に載置できる。その結果、ユーザの利便性が向上する誘導加熱調理器を提供できる。
【００７２】
また、本開示の誘導加熱調理器は、誘導加熱調理器の運転を制御する制御部を備え、制御部は、非接触受電装置からの信号を受信すると、案内部による案内を行うように制御してもよい。この構成によれば、案内部による、ユーザへの案内を所望のタイミングで行うことが可能となる。これにより、ユーザへの利便性が向上する。
【００７３】
また、本開示の誘導加熱調理器の制御部は、非接触受電装置のサイズの情報を有し、非接触受電装置からの信号を受信すると、サイズの情報に基づいて非接触受電装置を載置可能領域に案内するように案内部を制御してもよい。この構成によれば、非接触受電装置の載置可能領域を、ユーザに、より確実に案内することができる。これにより、ユーザへの利便性が向上する。
【００７４】
また、本開示の誘導加熱調理器は、案内部で、加熱中のコイルに対応する以外の領域を、非接触受電装置の載置可能領域として案内してもよい。この構成によれば、コイルを介して誘導加熱されている被加熱物の加熱調理による周囲への影響を低減できる。これにより、ユーザへの利便性が向上する。
【００７５】
また、本開示の誘導加熱調理器の温度検知部は、それぞれのコイルに対応して設けられた複数の温度センサで構成してもよい。この構成によれば、それぞれのコイルの領域に対応した、個別の温度検知が可能となる。これにより、非接触受電装置の載置可能領域を、より精度良く定めることができる。
【００７６】
また、本開示の誘導加熱調理器は、コイルのそれぞれの周囲に配置され、トッププレートを通して視認可能に発光する発光ユニットを備え、発光ユニットは案内部として機能する構成としてもよい。この構成によれば、ユーザは、非接触受電装置の載置可能領域を、視覚的に容易に判断することができる。これにより、ユーザへの利便性が、さらに向上する。
【００７７】
また、本開示の誘導加熱調理器は、複数のコイルを収容するとともに、トッププレートを支持するように配設された本体部を備え、本体部は、誘導加熱調理器の調理に関する調理情報を表示する備え付け表示部を有し、備え付け表示部は案内部として機能する構成としてもよい。これにより、ユーザへの利便性が、さらに向上する。
【００７８】
また、本開示の誘導加熱調理器は、外部に設けられるディスプレイをさらに備え、ディスプレイは案内部として機能する構成としてもよい。この構成によれば、ユーザが見やすい任意の場所に設置したディスプレイを介して、より効率的に、被加熱物や非接触受電装置などを載置可能領域に案内できる。これにより、ユーザへの利便性が向上する。
【産業上の利用可能性】
【００７９】
本開示によれば、ユーザは、被加熱物や非接触受電装置を任意の場所に載置して加熱調理などを実行できる。そのため、調理時における、更なる利便性が要望される誘導加熱調理器などの用途に有用である。
【符号の説明】
【００８０】
２    誘導加熱調理器
４    被加熱物
６    本体部
８    トッププレート
１０，１０ａ，１０ｂ，１０ｃ，１０ｄ，２０    コイル
１１    非接触受電装置
１１ａ    通信部
１１ｂ    受電コイル
１２    備え付け表示部
１４    温度検知部
１６，２６    発光ユニット
１８    制御部
【図１】
2017038014.tif 000003
【図２】
2017038014.tif 000004
【図３】
2017038014.tif 000005
【図４Ａ】
2017038014.tif 000006
【図４Ｂ】
2017038014.tif 000007
【図４Ｃ】
2017038014.tif 000008
【図４Ｄ】
2017038014.tif 000009
【図５】
2017038014.tif 000010
【国際調査報告】
2017038014.tif 000011
2017038014.tif 000012
2017038014.tif 000013
2017038014.tif 000014